(57)【特許請求の範囲】
【請求項１】
バッグその他を搬送するための、自転車またはバイクに乗っている使用者に特に役立つ調節可能なストラップであって、バッグ(B)その他に取りつけることのできる細長い柔軟要素(2)から成るストラップにおいて、
前記細長い柔軟要素(2)が、使用者(U)の肩に配置されるようになっている調節可能な長さ(l1)の第一の部分(3)と、使用者(U)のウエストを包囲してバッグ(B)を安定させて該ウエストに対してしっかりと保持するようになっている調節可能な長さ(l2)の第二の部分(4)とを有し、
当該細長い柔軟要素(2)が、第一のバンド(5)および第二のバンド(6)を有し、当該第一のバンド(5)および第二のバンド(6)が、それぞれ、当該第一の調節可能な部分(3)において相互に対面して摺動自在に取りつけられているそれぞれの第一の端(7、8)と、当該第二の調節可能な部分(4)において自由な第二の端(9、10)とを有すること、そして、
第一のバンド(5)の第二の端(9)及び第二のバンド(6)の第二の端(10)がそれぞれ、使用者(U)が第一のバンド(5)の第二の端(9)及び第二のバンド(6)の第二の端(10)をウエストにおいて結合することを可能にするための、相互取りつけ手段(30)を有すること、
を特徴とする調節可能なストラップ。
【請求項２】
当該第一の調節可能な部分(3)の長さ(l1)を調節するための第一の調節手段(11)と当該第二の調節可能な部分(4)を調節するための第二の調節手段(12)とを有し、当該第二の調節可能な部分(4)の長さ(l2)を不変に保ったまま、当該第一の調節手段(11)が当該第一の調節可能な部分(3)の長さ(l1)を調節するようになっていることを特徴とする請求項1に記載の調節可能なストラップ。
【請求項３】
当該第一の調節手段(11)が、それぞれ、当該第一のバンド(5)および第二のバンド(6)の第二の端(9、10)に沿って長さ方向に摺動するのに適した第一の摺動部品(13)および第二の摺動部品(14)を有することを特徴とする請求項2に記載の調節可能なストラップ。
【請求項４】
当該第二の調節手段(12)が第三の摺動部品(15)を有し、当該摺動部品が、当該第一のバンド(5)の当該第一の端(7)に沿って長さ方向に摺動して、第二のバンド(6)に対面する当該第一のバンド(5)の部分(16)を変化させ、当該細長い要素(2)の当該第二の調節可能な部分(4)の長さ(l2)を調節するようになっていることを特徴とする請求項3に記載の調節可能なストラップ。
【請求項５】
当該第二のバンド(6)の当該第一の端(8)が当該第三の摺動部品(15)に安定して取りつけられることを特徴とする請求項4に記載の調節可能なストラップ。
【請求項６】
当該第一のバンド(5)と当該第二のバンド(6)をバッグ(B)その他に取りつけるための連結手段(21)を有し、当該連結手段(21)が、当該第一および第二のバンド(5、6)に取りつけて当該細長い要素(2)の当該第一の調節可能な部分(3)の範囲を定めるのに適していることを特徴とする請求項1から5の中のいずれか一つに記載の調節可能なストラップ。
【請求項７】
当該連結手段(21)が少なくとも一対のフラップ(22、23)を有し、これらのフラップのそれぞれが、バッグ(B)その他に取りつけるのに適した一端(24、25)と、当該第一および第二のバンド(5、6)の対応する第二の端(9、10)のための通路(28、29)を有する反対自由端(26、27)とを有することを特徴とする請求項6に記載の調節可能なストラップ。
【請求項８】
当該第一の調節可能な部分(3)が、当該フラップ(22、23)の当該通路(28、29)によって範囲が定められる当該第一および第二のバンド(5、6)の部分によって定められ、一方、当該第二の調節可能な部分(4)が当該通路(28、29)の外側の当該第一および第二のバンド(5、6)の部分によって定められることを特徴とする請求項7に記載の調節可能なストラップ。
【請求項９】
当該摺動部品(13、14、15)が、所定の厚さ(s)の実質的に板状の形状を有し、当該摺動部品が、実質的に中央の横方向ステム(19)と、当該バンド(5、6)の当該第一および第二の端(7、8、9、10)を通すための一対の横方向スロット(17、18)とを有することを特徴とする請求項1から8の中のいずれか一つに記載の調節可能なストラップ。
【請求項１０】
当該取りつけ手段(30)が、当該第二の端(9、10)の一つに備えられた少なくとも一つのオスの要素(31)と、当該少なくとも一つのオスの要素(31)とのスナップ係合のための、他の第二の端(9、10)に備えられた少なくとも一つのメスの受け口(32)とを有することを特徴とする請求項1に記載の調節可能なストラップ。
【請求項１１】
当該取りつけ手段(30)が、長さ方向に間隔を取って配置された複数の当該メスの受け口(32)を有し、使用者(U)の体の寸法に合わせた、当該少なくとも一つのオスの要素(31)の必要に即した取りつけができることを特徴とする請求項10に記載の調節可能なストラップ。
【発明の詳細な説明】
【技術分野】
【０００１】
本発明は、一般には、スポーツウェアおよびレジャーウェアの技術分野での応用を見出すものであり、具体的には、サイクリングまたはバイク走行時に使用するための、バッグ、ポーチ、リュックサック、その他の同様の用品のための調節可能なストラップに関する。
【背景技術】
【０００２】
使用者の肩にかけて搬送するための、衣料用品、たとえば、バッグ、ポーチ、リュックサックおよび類似の入れ物に関して、これらの衣料用品が、これらの用品に二つ以上の取りつけ点で固定的または着脱自在に取りつけて、これらの用品を肩にかけてより快適に搬送することができるようにする一本以上のストラップを有するようにすることが知られている。
【０００３】
一般に、これらのストラップは、天然または合成布地の単一バンドから成り、これらのバンドは、一つ以上の部分をそれ自身の上に折り重ねて、ストラップの有効長さを使用者の身長に合わせて調節できるようになっている。
【０００４】
調節は、一般に、摺動部品をベルトに沿って動かして、折り曲げられた部分の長さしたがってストラップの有効長さ(working length)を変えることによってなされる。
【０００５】
それにもかかわらず、歩行時またはサイクリングもしくはバイク走行時に搬送されるようになっているバッグその他の入れ物の場合、ストラップの有効長さを、使用条件に合わせて調節しなければならない。
【０００６】
実際、自転車またはバイクに乗る使用者は、通常、ストラップを肩から斜めにかけ背中に取りつけて着用する。
【０００７】
それに対して、歩行者は、実質的に垂直配置でバッグを搬送するので、ストラップの有効長さは自転車に乗る人の場合に比して小さくなる。
【０００８】
先行技術の解決策の周知の欠点は、歩行使用に合わせた有効長さ調節により、自転車に乗って使用するときに合わせた調節が常に損なわれるということである。
【０００９】
そのため、ストラップの長さをバッグのそれぞれの使用に合わせて随時調節しなければならず、これは使用者にとって不便な時間のかかる作業である。
【００１０】
また、公知のように、自転車などに乗った使用者が搬送するように特別設計されているバッグが知られている。これらのバッグは、バッグが使用者の背中にしっかり取りつけられるように、使用者が斜めに着用するようになっている交差(cross)ストラップを有する。
【００１１】
さらに、一対の横(side)ストラップがバッグの使用者の体への安定取りつけのために備えられており、これらのストラップは、ウエストに固定着用できるようにするための相互締結手段を有する。これらのバッグは、着用感や歩行者が搬送するときの感じがまったく良くない。
【００１２】
さらに、三つ以上の要素を、バッグの所定数の取りつけ領域に、縫いつけ、接着、その他によって、連結する必要があり、これに対応して、バッグ構造に弱化領域が生じる。
【００１３】
最後の、しかし小さくない問題は、前記の集成構造物は、使用される部品が多いため、製造に時間がかかり、また割合に高価である。
【発明の開示】
【発明が解決しようとする課題】
【００１４】
本発明の主目的は、前記先行技術の欠点を排除した、バッグその他の入れ物を搬送するための調節可能なストラップを提供することである。
【００１５】
一つの特定目的は、自転車、バイク、その他の乗物に乗った使用者がバッグを着用したときに、バッグその他の入れ物の安定な位置決めを可能にする、バッグその他を搬送するストラップを提供することである。
【００１６】
本発明のもう一つの特定目的は、バッグ搬送方式によらず常に使用者のそれぞれの体形に合わせることができ、搬送方式を変えるたびに使用者が再調節する必要がないが、割合に少数の部品しか使用しない、バッグその他のための調節可能なストラップを提供することである。
【００１７】
もう一つの目的は、割合に少数の部品を使用してバッグを使用者の背中にしっかり固定できる、バッグその他を搬送するためのストラップを提供することである。
【００１８】
本発明のもう一つの目的は、自転車またはバイクに乗っている使用者が使用するための設計がなされているバッグに取りつけることができ、バッグその他にわずか二点で取りつけることのできるストラップを提供することである。
【００１９】
最後ではない目的は、使用者の体へのバッグの快適かつ安定な取りつけに影響することなく、歩行する使用者および自転車またはバイクに乗っている使用者のどちらも使用できるように設計されている、調節可能なストラップを提供することである。
【課題を解決するための手段】
【００２０】
前記その他の目的は、以下で詳しく説明するように、
請求項1に定義する、バッグその他を搬送するための、調節可能なストラップであって、
バッグその他に取りつけることのできる細長い柔軟要素を有し、当該細長い柔軟要素が、使用者の肩に配置されるようになっている調節可能な長さの第一の部分と、使用者のウエストを包囲してバッグを安定させて該ウエストに対してしっかりと保持するようになっている調節可能な長さの第二の部分とを有すること、
を特徴とする調節可能なストラップ、
によって、達成される。
【発明の効果】
【００２１】
この特定構成により、本発明のストラップは、ストラップが随時取りつけられるバッグその他の入れ物の快適な搬送と安定な位置決めを可能にし、しかもバッグその他の入れ物の使用者の背中へのしっかりした固定を可能にする。
【００２２】
好ましくは、本発明のストラップは、当該第一の調節可能な部分の長さを調節するための第一の調節手段と当該第二の調節可能な部分を調節するための第二の調節手段とを有し、当該第一の調節手段が当該第二の手段とは独立であって、そのため、当該第二の調節可能な部分の長さを不変に保ったまま、当該第一の調節可能な部分の長さを調節することができる。
【００２３】
したがって、このストラップは、各種使用方式に合わせて簡単に調節することができ、各種搬送方式に合わせて反復調節する必要がない。
【発明を実施するための最良の形態】
【００２４】
本発明のその他の特徴と利点とは、添付の図面を参照しつつなされる、本発明による、バッグその他を搬送するための調節自在のストラップの好ましい非排他的実施形態の詳細な説明を読むことにより、さらにはっきりするであろう。この実施形態は一つの非限定例として示すものである。
【００２５】
図面を参照すると、全体を数字1で示す本発明のストラップは、バッグ、ポーチ、リュックサック、その他の類似の入れ物に固定的または着脱自在に取りつけることができ、自転車、バイクその他の乗物に乗る使用者に特に適している。
【００２６】
図1〜3に示すように、本発明のストラップは、バッグBその他に取りつけられるようになっている細長い柔軟要素2から成り、このストラップは、使用者Uの肩上に配置されるようになっている調節可能な長さl1の第一の部分3と、使用者Uのウエストを包囲してバッグBを安定させてウエストにしっかりと保持するようになっている調節可能な長さl2の第二の部分4とを有する。
【００２７】
したがって、図4と5に示す第一の使用方式では、本発明のストラップ1が取りつけられるようになっているバッグBその他の入れ物は、ストラップ1を使用者Uの一方の肩にかけて使用者の片側に実質的に垂直配置して搬送することができる。
【００２８】
この場合、細長い要素2の第二の調節可能な部分4は、使用者Uのウエストを包囲する必要はなく、自由なままにしておくことができる。
【００２９】
図6と7に示す、もう一つの使用方式は、自転車その他の乗物に乗った使用者Uに特に適したものであり、この場合、ストラップ1は、第一の調節可能な部分3を使用者Uの肩にかけて胴のまわりに斜めに配置されるように着用することができる。
【００３０】
他方、第二の調節可能な部分4は、使用者Uのウエストを包囲して、前で固定されるようにすることができる。したがって、バッグBは、使用者Uの背中にしっかりと固定され、正しい位置に快適に保持される。
【００３１】
好ましくは、細長い柔軟要素2は、第一および第二のバンド5、6を有し、これらのバンドは、それぞれ、第一の調節可能な部分3の互いに対面して自在に摺動するように取りつけられている第一の端7、8と、第二の調節可能な部分4の自由な第二の端9、10とを有することができる。
【００３２】
また、第一および第二の調節手段11、12を、それぞれ、第一の調節可能な部分3と第二の調節可能な部分4の長さl1、l2の調節のために備えることができる。第一の調節手段11は、第二の調節手段12とは独立に調節することができる。
【００３３】
したがって、第一の調節可能な部分3の長さl1を、第二の調節可能な部分4の長さl2を変えずに、変えることができる。
【００３４】
本発明のこの独自の構成により、歩いている使用者Uも、自転車その他の乗物に乗っている使用者Uも、歩きから乗物に乗ることへの変更またはその逆、あるいはバッグB搬送方式の変更、たとえば前述しかつ添付の図面に示す一つの構成から他の構成への変更のたびに、ストラップ1を調節する、という必要が生じない。
【００３５】
特に、第一の調節手段11は、それぞれ、第一および第二のバンド5、6の第二の端9、10に沿って長さ方向に摺動するようになっている、第一および第二の摺動部品13、14を有することができる。
【００３６】
第二の調節手段12は、第三の摺動部品15を有することができ、この摺動部品は、第一のバンド5の第一の端7に沿って長さ方向に摺動して、第二のバンド6に対面する第一のバンド5の部分16を変化させ、それにより、細長い要素2の第二の調節可能な部分4の長さl2を調節し、使用者Uの体形特にそのウエスト寸法に合わせることができるようになっている。
【００３７】
摺動部品13、14、15は、実質的に同じものとすることができ、適当な機械的性質を有する金属、プラスチック、その他の材料から成る実質的に板状の物体から成り、これらの摺動部品は、一対の実質的に横方向のスロット17、18と実質的に中央にある横方向ステム19とを有する。
【００３８】
特に、スロット17、18は、それぞれ、第一および第二のバンド5、6の端7、8、9、10を通すようになっている。
【００３９】
たとえば、添付の図面に示す本発明の好ましい非排他的構成の場合、第一および第二のバンド5、6の第二の端9、10は、それぞれ、第一および第二の摺動部品13、14と係合し、一方、第三の摺動部品15は第一の端7、8と係合することができる。
【００４０】
図8により明確に示すように、第二のバンド6の第一の端8は、第三の摺動部品15に安定取りつけすることができる。たとえば、この端は、中央ステム19のまわりにU字形に折り曲げて、縫いつけその他の化学的または機械的結合によって固定することができる。
【００４１】
第一および第二のバンド5、6の第一の端7、8は、摺動自在に取りつけられた紐その他の輪20、によって、相互対面関係にあるように保持することができる。
【００４２】
また、ストラップ1は、バッグBその他に取りつけるための連結手段21を有することができ、この手段は、第一および第二のバンド5、6に取りつけて細長い要素2の第一の調節可能な部分3の範囲を定めるようにすることができる。
【００４３】
たとえば、連結手段21は、それぞれ、一対のフラップ22、23を有することができ、それぞれのフラップは、公知の仕組みでバッグBその他に取りつけるのに適した一つの端24および25と、第一および第二のバンド5、6の対応する第二の端9、10に対する通路28、29を有する反対端26および27とを有する。
【００４４】
したがって、第一の調節可能な部分3は、フラップ22、23の通路28、29によって範囲が定められる第一および第二のバンド5、6の部分によって定められ、第二の調節可能な部分4は、前記通路28、29の外側にある第一および第二のバンド5、6の部分によって定められる、ということになる。
【００４５】
前記通路は、好ましくは、摺動部品13、14、15をブロックして、これらがフラップ22、23の片側から他の側に移動しないようにする構造とすることができる。
【００４６】
したがって、ストラップ1が使用者Uの体の片側にバッグBとともに着用されたとき、細長い要素2の第一の調節可能な部分3は、第一および第二の摺動部品13、14によって範囲が定められる第一のバンド5および第二のバンド6の部分と実質的に一致するということができる。
【００４７】
第一の部分3の長さl1は、どんな場合にも、二つの通路28、29によって範囲が定められる細長い要素2の部分の長さに等しい。
【００４８】
それに対して、第二の調節可能な部分4の長さl2は、通路28、29の外側の細長い要素2の部分の全長に等しく、ここで、第一のバンド5の第一の端7に対面する第二のバンド6の第一の端8の部分は含まれないか、または含まれるかである。
【００４９】
図面に示す構成の場合、第二の調節可能な部分4の長さl2は、第三の摺動部品15を第一のバンド5に沿って滑らせて、第二のバンド6に重なる第一のバンド5の部分16の長さを変えることによって、簡単に調節することができる。
【００５０】
第二の調節可能な部分4が使用者Uのウエストを安定包囲するように、相互取りつけ手段30を、第一および第二のバンド5、6の第二の端9、10を連結するために備えることができ、それによって、使用者Uが第一および第二のバンドをウエストのまわりで、好ましくは前の部分に限定することなく、固定することができる。
【００５１】
図9に明確に示すように、取りつけ手段30は、第二の端9、10の一つに少なくとも一つのオスの要素31を、第二の端9、10の他の一つに、オスの要素31にスナップばめするための少なくとも一つのメスの受け口32を有することができる。
【００５２】
本発明の限定を意図しない単なる例として図に示す構成の場合、一対の横方向に配置されたオスの要素31が第一のバンド5の第二の端9に備えられ、長さ方向に間隔をとって配置された三対のメスの受け口32が第二のバンド6の第二の端10に形成されている。
【００５３】
これにより、第二の部分4の取りつけ方を、それぞれの使用者Uの体形および使用者の好みに合うように、修正することができる。
【００５４】
しかし、容易にわかるように、取りつけ手段30の構成は、ここで図示して説明するものと異なるものとすることもできる。
【００５５】
オスの要素31もメスの受け口32も、一つまたは両方のバンド5、6に任意の空間配置で、図示する構成に比してより多くまたは少なく備えることができる。
【００５６】
また、図に示す取りつけ手段30は、バッグその他の衣料用品に取りつけられるストラップ、ベルト、その他の付属品の製造に一般に使用される、他の任意のタイプの取りつけ手段で置き換えることができる。
【００５７】
ストラップ1は、肩当て33を備えることもでき、この肩当ては、たとえば、第一のバンド5の第一の調節可能な部分3に摺動自在に取りつけられ、ストラップ1の快適さが増すように使用者Uの肩に接触するようになっている。
【００５８】
ストラップ1に使用する材料は、皮革、天然もしくは合成布地、または不織布から成るグループから選択することができ、また、割合に高強度の材料たとえば金属または硬質プラスチックから成る補強材を備えることもできる。
【００５９】
また、二つのバンド5、6は、異なる材料で作ることもでき、さらにまた、それぞれが、複数の材料から成るようにすることもできる。
【００６０】
以上の説明からわかるように、本発明は意図する目的を達成するものであり、特に、バッグその他の搬送のための調節可能なストラップを提供するという要件を満たすものであり、さらにまた、この調節可能なストラップは、自転車またはバイクに乗る使用者が使用することもでき、しかもバッグを使用者の体にしっかりと安定取りつけすることを保証するものである。
【００６１】
第一および第二の調節手段11、12の独自の構成により、このベルトはいろいろな使用方式に合うように調節することができる。
【００６２】
本発明のストラップには、特許請求の範囲に示す発明的概念の範囲内で、いくつかの変更および変形を加えることができる。本発明の範囲を逸脱することなく、本発明のストラップの細部は、すべて、他の技術的に同等の部品で置き換えることができ、材料は、いろいろな要求に合わせて、変えることができる。
【００６３】
以上、本発明のストラップを添付の図面に即して説明したが、明細書と特許請求の範囲で使用した参照番号は本発明の理解を容易にするためだけのものであり、いかなる意味でも特許請求の範囲を限定するものではない。
【図面の簡単な説明】
【００６４】
【図１】本発明のストラップの正面図である。
【図２】特定構成でバッグに取りつけられた本発明のストラップの斜視図である。
【図３】別の構成でバッグに取りつけられた本発明のストラップの斜視図である。
【図４】第一の使用方式で、バッグに取りつけられ、使用者が装着した本発明のストラップの正面図である。
【図５】図4に示すものの側面図である。
【図６】第二の使用方式で、バッグに取りつけられ、使用者が装着した本発明のストラップの正面図である。
【図７】図6に示すものの側面図である。
【図８】本発明のストラップの第一の細部の正面図である。
【図９】本発明のストラップのもう一つの細部の拡大図である。
【符号の説明】
【００６５】
1  本発明のストラップ
2  細長い柔軟要素
3  第一の部分
4  第二の部分
5  第一のバンド
6  第二のバンド
7  5の第一の端
8  6の第一の端
9  5の自由な第二の端
10  6の自由な第二の端
11  第一の調節手段
12  第二の調節手段
13  第一の摺動部品
14  第二の摺動部品
15  第三の摺動部品
16  5の部分
17  スロット
18  スロット
19  ステム
20  輪
21  連結手段
22  フラップ
23  フラップ
24  22の端
25  23の端
26  22の反対の端
27  23の反対の端
28  5の通路
29  6の通路
30  取りつけ手段
31  オスの要素
32  メスの受け口
33  肩当て
l1  調節可能な3の長さ
l2  調節可能な4の長さ
s  13、14、15の厚さ
B  バッグ
U  使用者
【図１】
0005524057.tif 000002
【図２】
0005524057.tif 000003
【図３】
0005524057.tif 000004
【図４】
0005524057.tif 000005
【図５】
0005524057.tif 000006
【図６】
0005524057.tif 000007
【図７】
0005524057.tif 000008
【図８】
0005524057.tif 000009
【図９】
0005524057.tif 000010